(57)【要約】      （修正有）【課題】衝撃試験中の作用力、反作用力による影響を除去し、プラットホームの変位量を最小にし、衝撃試験結果を精確にすることができる衝撃試験プラットホームを提供する。【解決手段】衝撃試験装置１００は、第１のプラットホーム１１０と、第２のプラットホーム１２０と、複数の第１の懸吊装置１３０と、少なくとも１つの衝撃アセンブリと、複数の第２の懸吊装置１５０とを備える。少なくとも１つの衝撃アセンブリは、第２のプラットホーム１２０に設けられ、第１のプラットホーム１１０に向けられており、少なくとも１つの衝撃力を生じて第１のプラットホーム１１０に衝撃を与え、更に第１のプラットホームにある被試験物に対して衝撃試験を行う。第２の懸吊装置１５０は衝撃力による反作用力を吸収する。【選択図】図１
2015042968.tif 000002
【特許請求の範囲】
【請求項１】
被試験物を載置した後、前記被試験物に対して衝撃試験を行うことができる衝撃試験装置であって、
前記被試験物を載置するための第１のプラットホームと、
前記第１のプラットホームと平行であり、前記第１のプラットホームの下方に設けられた第２のプラットホームと、
前記第１のプラットホームと前記第２のプラットホームの間に挟まれるように設けられており、前記第１のプラットホームを載置するための複数の第１の懸吊装置と、
前記第２のプラットホームに配置され、前記第１のプラットホームに向けており、少なくとも１つの衝撃力を生じて前記第１のプラットホームに衝撃を与える少なくとも１つの衝撃アセンブリと、
前記第１の懸吊装置に対して、前記第２のプラットホームの下方に設けられた複数の第２の懸吊装置と、
を備え、
前記第２の懸吊装置は、前記第１のプラットホーム、前記第２のプラットホーム、前記第１の懸吊装置及び前記少なくとも１つの衝撃アセンブリを載置して、前記衝撃試験を行っている時に、前記少なくとも１つの衝撃力による少なくとも１つの反作用力を吸収することができる
衝撃試験装置。
【請求項２】
前記少なくとも１つの衝撃アセンブリは、少なくとも１つの第１の衝撃ハンマーを含む衝撃アセンブリを備える、請求項１に記載の衝撃試験装置。
【請求項３】
前記少なくとも１つの第１の衝撃ハンマーは、２つずつ対向して設けられた４つの第１の衝撃ハンマーである、請求項２に記載の衝撃試験装置。
【請求項４】
前記衝撃アセンブリは、前記４つの第１の衝撃ハンマーの間に設けられた第２の衝撃ハンマーを更に備える、請求項３に記載の衝撃試験装置。
【請求項５】
前記少なくとも１つの衝撃アセンブリは、複数の衝撃アセンブリを備え、前記衝撃アセンブリは４つの衝撃アセンブリであり、且つ各前記衝撃アセンブリが少なくとも１つの第１の衝撃ハンマーを備える、請求項１に記載の衝撃試験装置。
【請求項６】
前記少なくとも１つの第１の衝撃ハンマーは、２つずつ対向して設けられた４つの第１の衝撃ハンマーである、請求項５に記載の衝撃試験装置。
【請求項７】
各前記衝撃アセンブリは、前記４つの第１の衝撃ハンマーの間に設けられた第２の衝撃ハンマーを更に備える、請求項６に記載の衝撃試験装置。
【請求項８】
前記４つの第１の衝撃ハンマーは、前記第２のプラットホームに設けられ、前記第２のプラットホームに対して特定の角度で傾斜している、請求項３又は６に記載の衝撃試験装置。
【請求項９】
前記第２の衝撃ハンマーは、前記第２のプラットホームに垂直に設けられている、請求項４又は７に記載の衝撃試験装置。
【請求項１０】
前記第１のプラットホームは、複数の固定孔と、前記第１のプラットホームの下方に設けられており、前記少なくとも１つの衝撃アセンブリによって衝撃され得る少なくとも１つの被衝撃ブロックとを備える、請求項１に記載の衝撃試験装置。
【請求項１１】
前記少なくとも１つの被衝撃ブロックは、半球体、多面体又は立方体である、請求項１０に記載の衝撃試験装置。
【請求項１２】
前記第１の懸吊装置は、前記第２のプラットホームの周縁に設けられている、請求項１に記載の衝撃試験装置。
【請求項１３】
前記第１のプラットホームは、矩形又は円形であり、また、前記第１のプラットホームを駆動して前記第２のプラットホームに対して水平に回転させる回転機構を備える、請求項１に記載の衝撃試験装置。
【請求項１４】
前記第２のプラットホームは、矩形又は円形である、請求項１に記載の衝撃試験装置。
【請求項１５】
前記第１の懸吊装置は、頂部と、前記頂部に対する底部と、前記頂部と前記底部の間に突き当てた複数のコイルとを備え、前記頂部と前記底部がそれぞれ前記第１のプラットホームと前記第２のプラットホームに固定されてよく、且つ前記コイルが前記第１のプラットホームを載置することに用いられてよい、請求項１に記載の衝撃試験装置。
【請求項１６】
前記第１の懸吊装置の前記コイルは、鋼管又は鋼索で構成される、請求項１５に記載の衝撃試験装置。
【請求項１７】
前記第２の懸吊装置は、シリカゲルベースである、請求項１に記載の衝撃試験装置。
【請求項１８】
前記第２の懸吊装置は、シリカゲル、ゴム、プラスチック又はフォーム等の材質で構成される、請求項１７に記載の衝撃試験装置。
【請求項１９】
前記第１のプラットホーム、前記第２のプラットホーム、前記第１の懸吊装置、前記少なくとも１つの衝撃アセンブリ及び前記第２の懸吊装置を収容するための筐体を更に備える、請求項１に記載の衝撃試験装置。
【発明の詳細な説明】
【技術分野】
【０００１】
本発明は、試験装置に関し、特に衝撃試験装置に関する。
【背景技術】
【０００２】
衝撃試験装置は製品の信頼性を測定するためのものであり、その原理は、衝撃試験装置によって規則的又は不規則的な衝撃力を生じさせて、被試験物（即ち、製品）に衝撃を与え、長時間の累積的衝撃疲労によって、被試験物に存在し得る又は現れ得る瑕疵を測定し、被試験物の内部部材、構造又は外部包装の保護性等を評価することであり、それにより使用信頼性及び製品品質を向上させることができる。
【０００３】
従来の衝撃試験装置においては、被試験物を衝撃試験装置のプラットホームに置いた後、プラットホームの下方に設けられた少なくとも１つの衝撃アセンブリによって、プラットホーム及び被試験物に対して衝撃試験を行って、衝撃された後に被試験物に存在し得る又は現れ得る瑕疵を測定するようになっている。
【０００４】
このような少なくとも１つの衝撃アセンブリによって下から上へ被試験物に衝撃を与える方式では、関連する衝撃試験データを得ることができるが、衝撃の過程で、少なくとも１つの衝撃アセンブリによる衝撃力が同時にプラットホームと被試験物に作用するので、一部の衝撃力（さらには大部分の衝撃力）がプラットホームに吸収されて、衝撃試験に全く関連していない動作に消耗されてしまう。
【０００５】
一方、「ニュートンの運動の第三法則」によれば、２つの物体が相互に作用する時、一方が受ける力と他方が受ける力は大きさが等しくて向きが反対であるので、「ニュートンの運動の第三法則」を「作用力・反作用力の法則」とも言う。この法則によって、少なくとも１つの衝撃アセンブリが下から上へ衝撃試験を行う時に、プラットホームに対して生じた衝撃力は反作用力をも生じて少なくとも１つの衝撃アセンブリに及ぼす。このように、プラットホームと少なくとも１つの衝撃アセンブリとがいずれも衝撃試験装置に属し、且つ互いに関連する空間設置関係があるので、少なくとも１つの衝撃アセンブリがプラットホームと被試験物に対して衝撃力を生じると同時に、「ニュートンの運動の第三法則」による、少なくとも１つの衝撃アセンブリに作用する反作用力も間接的にプラットホームと被試験物に他の衝撃を与えるようになるため、最終試験結果に影響を与える。
【０００６】
前記の場合は、特に少なくとも１つの衝撃アセンブリが単一の衝撃アセンブリであり、且つ複数の衝撃ハンマーを備える態様において顕著である。
【０００７】
例を挙げると、前記単一の衝撃アセンブリの複数の衝撃ハンマーが２つの衝撃ハンマー（即ち、第１の衝撃ハンマーと第２の衝撃ハンマー）である場合に、２つの衝撃ハンマーが４５°の角度で傾斜するようにプラットホームに衝撃を与え、且つ２つの衝撃ハンマーが互いに対向するように設けられた時に、２つの衝撃ハンマーを順次にプラットホームに衝撃させれば、第１の衝撃ハンマーが衝撃を完成した後且つ第２の衝撃ハンマーが衝撃を与える前に、前記「ニュートンの運動の第三法則」による反作用衝撃力が第２の衝撃ハンマーに作用し、第２の衝撃ハンマーのプラットホームに対する衝撃力に影響を与えて、測定上の誤差を引き起こす。
【０００８】
この第１の衝撃ハンマーが衝撃を完成した後、この第２の衝撃ハンマーが衝撃を与える時、その間に存在する時間差でプラットホームを初期静止位置に回復できなければ、この時に存在する微小な変位であっても測定結果に影響を与えることが、誤差を発生し得る別の場合である。
【０００９】
以上から明らかなように、周知の衝撃試験装置は、被試験物が衝撃を受けた後存在し得る又は現れ得る瑕疵を測定することに利用可能であるが、試験過程で、比較的に多い可変要素又は不安定な因子が存在しているため、精確に制御して精確な結果を得ることが困難である。
【００１０】
なお、前記衝撃ハンマーが衝撃している瞬間に生じた応力によって、被試験物の自然応答が誘発されるが、被試験物が複数の素子で構成された装置又はシステムである時に、前記衝撃ハンマーが衝撃している瞬間に生じた応力は更に各この素子の自然応答を誘発してしまう。発明者らは研究の結果、各この素子間の自然応答の干渉現象は実質的に各装置又はシステムの損壊を引き起こす最大の根源となっていることを見出した。
【００１１】
言い換えると、周知の衝撃試験装置では精確に制御できず試験物に衝撃を与えているので、被試験物の衝撃応答スペクトル（ＳＲＳ；Ｓｈｏｃｋ  Ｒｅｓｐｏｎｓｅ  Ｓｐｅｃｔｒｕｍ）を作成するために前記各この素子間の自然応答の干渉現象を測定することが困難であると同時に、精確に被試験物の信頼性と寿命を知ることも困難である。
【００１２】
以上のことに鑑みて、衝撃試験を行っている過程で前記作用力、反作用力による影響を効果的に除去し、プラットホームの変位量を最小にして、衝撃試験結果を精確にすることができる衝撃試験プラットホームをどのように提供するかは、この業界が差し迫って解决しようとする課題となっている。
【発明の概要】
【発明が解決しようとする課題】
【００１３】
本発明は、備える少なくとも１つの衝撃アセンブリが複数の第１の衝撃ハンマー及び／又は第２の衝撃ハンマーを有し、複数の第１の衝撃ハンマーが特定の角度で傾斜して第２のプラットホームに設けられてよく、第２の衝撃ハンマーが第２のプラットホームに垂直であってよく、多軸方向の衝撃力を提供して、各種の衝撃試験要求に応じる衝撃試験装置を提供することを目的とする。
【００１４】
本発明は、備える複数の第１の懸吊装置が被試験物を設けた第１のプラットホームを載置することに用いられ、第１のプラットホームが衝撃試験を行っている過程で、微量の変位変化のみを発生するようにして、得られた衝撃試験データを精確にし、また、この衝撃試験データを用いてこの被試験物の衝撃応答スペクトルを作成することができる衝撃試験装置を提供することを別の目的とする。
【００１５】
本発明は、備える複数の第２の懸吊装置が衝撃試験を行っている過程で、少なくとも１つの衝撃アセンブリが衝撃を与える時に生じた反作用力を効果的に吸収することによって、少なくとも１つの衝撃アセンブリが干渉される場合を低減すると共に、発生した衝撃が外界環境に伝達されることを回避できる衝撃試験装置を提供することを更に別の目的とする。
【課題を解決するための手段】
【００１６】
前記目的を達成するために、本発明は、第１のプラットホームと、第２のプラットホームと、複数の第１の懸吊装置と、少なくとも１つの衝撃アセンブリと、複数の第２の懸吊装置とを備える衝撃試験装置を提供する。第１のプラットホームは、被試験物を載置するためのものであり、第２のプラットホームは、第１のプラットホームと平行であり、第１のプラットホームの下方に設けられている。複数の第１の懸吊装置は、第１のプラットホームと第２のプラットホームの間に挟まれるように設けられており、第１のプラットホームを載置するためのものであり、少なくとも１つの衝撃アセンブリは、第２のプラットホームに配置され、第１のプラットホームに向けており、少なくとも１つの衝撃力を生じて第１のプラットホームに衝撃を与える。複数の第２の懸吊装置は、複数の第１の懸吊装置に対して、第２のプラットホームの下方に設けられている。ここで、複数の第２の懸吊装置は、第１のプラットホーム、第２のプラットホーム、複数の第１の懸吊装置及び少なくとも１つの衝撃アセンブリを載置して、衝撃試験を行うっているところに、少なくとも１つの衝撃力による少なくとも１つの反作用力を吸収することができる。
【００１７】
上述した目的、技術的特徴及びメリットをより分かりやすくするために、以下、添付の図面を参照しながら好ましい実施例に基づいて詳細に説明する。
【図面の簡単な説明】
【００１８】
【図１】本発明の衝撃試験装置の模式図である。
【図２】本発明の衝撃試験装置の、第１のプラットホームが設けられていない模式図である。
【図３】本発明の衝撃試験装置の、少なくとも１つの衝撃アセンブリの第１の実施例の模式図である。
【図４】本発明の衝撃試験装置の、少なくとも１つの衝撃アセンブリの第１の実施例の模式図である。
【図５】本発明の衝撃試験装置の、少なくとも１つの衝撃アセンブリの第２の実施例の模式図である。
【図６】本発明の衝撃試験装置の、少なくとも１つの衝撃アセンブリと、少なくとも１つの被衝撃ブロックの設置模式図である。
【図７】本発明の衝撃試験装置の、少なくとも１つの衝撃アセンブリと、少なくとも１つの被衝撃ブロックの設置模式図である。
【図８】本発明の衝撃試験装置の被衝撃ブロックの模式図である。
【図９】本発明の衝撃試験装置の第１の懸吊装置の模式図である。
【図１０】本発明の衝撃試験装置の第２の懸吊装置の模式図である。
【図１１】本発明の衝撃試験装置を筐体に設けた模式図である。
【発明を実施するための形態】
【００１９】
図１に示すように、本発明の衝撃試験装置１００は、被試験物（未図示）を載置して、被試験物に対して衝撃試験を行うことができる。ここで、衝撃試験装置１００は、第１のプラットホーム１１０と、第２のプラットホーム１２０と、複数の第１の懸吊装置１３０と、少なくとも１つの衝撃アセンブリ１４０と、複数の第２の懸吊装置１５０とを備える。
【００２０】
以下、第１のプラットホーム１１０、第２のプラットホーム１２０、複数の第１の懸吊装置１３０、少なくとも１つの衝撃アセンブリ１４０及び複数の第２の懸吊装置１５０等の素子間の設置関係だけを説明する。
【００２１】
図１、図２に示すように、第１のプラットホーム１１０は、被試験物を載置するためのものであり、また、複数の固定孔１１２によって、被試験物を安定的に第１のプラットホーム１１０に固定することができる。第２のプラットホーム１２０は、第１のプラットホーム１１０と平行であり、第１のプラットホーム１１０の下方に設けられている。複数の第１の懸吊装置１３０は、第１のプラットホーム１１０と第２のプラットホーム１２０の間に挟まれるように設けられており、下方から第１のプラットホーム１１０を支持する。少なくとも１つの衝撃アセンブリ１４０は、第１のプラットホーム１１０に向かうように第２のプラットホーム１２０に配置されて、信号を受信した後、少なくとも１つの衝撃力を生じて第１のプラットホーム１１０に衝撃を与えるものである。複数の第２の懸吊装置１５０は、複数の第１の懸吊装置１３０に対して、第２のプラットホーム１２０の下方に設けられている。
【００２２】
前記の複数の第１の懸吊装置１３０は、好ましくは、第１のプラットホーム１１０の下方から第１のプラットホーム１１０を安定的に指示するために、それぞれが第２のプラットホーム１２０の周縁１２２に設けられた４つの第１の懸吊装置１３０を備える。
【００２３】
一方、図２に示すように、本発明の衝撃試験装置１００において、第２のプラットホーム１２０の両側（即ち、第１のプラットホーム１１０に対向する上側１２０ａと上側１２０ａに対する下側１２０ｂ）のそれぞれは、複数の第１の懸吊装置１３０と複数の第２の懸吊装置１５０を設けるためのものである。従って、第２のプラットホーム１２０の下側１２０ｂに設けられた複数の第２の懸吊装置１５０は、第１のプラットホーム１１０、第２のプラットホーム１２０、複数の第１の懸吊装置１３０及び少なくとも１つの衝撃アセンブリ１４０等の素子を載置して、衝撃試験を行う時に、少なくとも１つの衝撃アセンブリ１４０の発生した少なくとも１つの衝撃力によって生じた少なくとも１つの反作用力を効果的に吸収して、この少なくとも１つの反作用力が外界環境に伝達されることを回避することに用いられる。
【００２４】
図１、図２に示す実施例において、少なくとも１つの衝撃アセンブリは、４つの衝撃アセンブリ１４０を有する複数の衝撃アセンブリである。なお、各衝撃アセンブリ１４０は、少なくとも１つの第１の衝撃ハンマー１４２と、第２の衝撃ハンマー１４４とを備える。好ましくは、図３に示す実施例において、少なくとも１つの第１の衝撃ハンマー１４２は、２つずつ対向して特定の角度で傾斜して第２のプラットホーム１２０に設けられている態様を有する４つの第１の衝撃ハンマー１４２であり、また、第２の衝撃ハンマー１４４は、この４つの第１の衝撃ハンマー１４２の間に設けられている。
【００２５】
さらに詳しく説明すると、図３、図４に示す少なくとも１つの衝撃アセンブリ１４０の第１の実施例において、４つの第１の衝撃ハンマー１４２は、いずれも第２のプラットホーム１２０に対して特定の角度で傾斜するように第２のプラットホーム１２０に設けられており、２つずつ対向している態様を有する。この特定の角度で傾斜するように設けることは、第１の衝撃ハンマー１４２を角度アダプター１４６に固定することによって達成でき、本実施例において、この特定の角度は４５°である。図３、図４はいずれも少なくとも１つの衝撃アセンブリ１４０の第１の実施例を示すためのものであり、その差異は、各第１の衝撃ハンマー１４２の間の空間設置関係をより明らかにするために、図４に角度アダプター１４６を省略したことのみにある。
【００２６】
従って、４つの第１の衝撃ハンマー１４２が４５°の角度で傾斜するように第２のプラットホーム１２０に設けられた時に、第２のプラットホーム１２０が第１のプラットホーム１１０と平行であるので、４つの第１の衝撃ハンマー１４２は同様に第１のプラットホーム１１０に対して４５°で傾斜する衝撃角度を有する。４つの第１の衝撃ハンマー１４２は、信号を受信した後、この信号の内容に基づき、順に動作する又は同時に動作する指令によって、衝撃力を生じて４５°の角度で傾斜するように直接に第１のプラットホーム１１０に衝撃を与えることができる。
【００２７】
もちろん、前記の４５°の傾斜角度以外に、４つの第１の衝撃ハンマー１４２は異なる試験要求に応じて、第２のプラットホーム１２０に対して他の角度で傾斜してもよい。すなわち、この傾斜角度についてはここで示したものに限定されない。
【００２８】
図５に示す少なくとも１つの衝撃アセンブリ１４０の第２の実施例において、衝撃アセンブリ１４０は、更に第２の衝撃ハンマー１４４を備えてよく、第２の衝撃ハンマー１４４は、第２のプラットホーム１２０に垂直であるように第２のプラットホーム１２０の上且つ４つの第１の衝撃ハンマー１４２の間に設けられ、４つの第１の衝撃ハンマー１４２に囲まれている。
【００２９】
第２の衝撃ハンマー１４４を設けた場合に、第１のプラットホーム１１０に設けられた被試験物に垂直な衝撃力を加えようとする時、第２の衝撃ハンマー１４４に信号を供給して動作させるだけで衝撃力を生じ、直接に第１のプラットホーム１１０に垂直な衝撃を与えることができ、図３、図４に示す少なくとも１つの衝撃アセンブリ１４０の第１の実施例のように、信号を加えて４つの第１の衝撃ハンマー１４２を同時に動作させて、その合成力が垂直な方向になるように、第１のプラットホーム１１０に衝撃を与える必要がない。言い換えると、常に垂直衝撃試験を行う必要がある場合に、第２の衝撃ハンマー１４４が設置されると、電力を節約する目的を達成するために有利である。
【００３０】
前記少なくとも１つの衝撃アセンブリ１４０の第１の実施例及び第２の実施例以外に、当業者は、必要に応じて第１の衝撃ハンマー１４２及び／又は第２の衝撃ハンマー１４４の数量及び設置方向を変更して、任意の方向と力を有する衝撃合成力に組合せ、被試験物に多軸方向の衝撃力を提供して、各種の異なる衝撃試験要求を満足させるようにしてもよい。
【００３１】
一方、前記図３、図４、図５に示す少なくとも１つの衝撃アセンブリ１４０の第１の実施例及び第２の実施例のいずれにおいても、第１の衝撃ハンマー１４２及び／又は第２の衝撃ハンマー１４４が直接に第１のプラットホーム１１０に衝撃を与える動作をするので、このような第１の衝撃ハンマー１４２が特定の角度で傾斜するように第１のプラットホーム１１０に衝撃を与えている過程では、第１の衝撃ハンマー１４２の生じた衝撃力の方向が第１のプラットホーム１１０と直交しないため、衝撃力が分散されて減衰する場合が多かれ少なかれ現れ、衝撃試験の結果に良くない影響を与えてしまう。
【００３２】
前記衝撃力が分散されて減衰する場合を回避するために、図６、図７に示すように、第１のプラットホーム１１０は、更に少なくとも１つの被衝撃ブロック１１４を備えることができる。少なくとも１つの被衝撃ブロック１１４は、第１のプラットホーム１１０の下方に設けられ、それぞれが各第１の衝撃ハンマー１４２及び／又は第２の衝撃ハンマー１４４と直交する表面１１４ａを有し、各第１の衝撃ハンマー１４２及び／又は第２の衝撃ハンマー１４４が動作すると、生じた衝撃力の方向が被衝撃ブロック１１４と直交して第１のプラットホーム１１０に伝達され、損失がないように第１のプラットホーム１１０に衝撃を与えることができる。
【００３３】
本発明の実施例において、被衝撃ブロック１１４の数量は衝撃アセンブリ１４０の数量に対応し、且つ図８に示すように、被衝撃ブロック１１４の形状は複数の被衝撃表面１１４ａを有する多面体、例えば、斜角ブロックであることが好ましい。もちろん、これに限定されることなく、被衝撃ブロック１１４の形状は半球体又は立方体等であってもよく、被衝撃ブロック１１４はそれぞれが各第１の衝撃ハンマー１４２及び／又は第２の衝撃ハンマー１４４と直交する表面１１４ａを有するという条件を満足できればよい。
【００３４】
前記図１、図２に示す実施例において、少なくとも１つの衝撃アセンブリが４つの衝撃アセンブリ１４０である態様以外に、経済性から考えれば、少なくとも１つの衝撃アセンブリは単一の衝撃アセンブリ１４０であり、同様に特定の角度で傾斜して設けられた４つの第１の衝撃ハンマー１４２と垂直に設けられた第２の衝撃ハンマー１４４とを備えるようにしてもよい。
【００３５】
単一の衝撃アセンブリ１４０と第１のプラットホーム１１０及び第２のプラットホーム１２０との間の設置関係は複数の衝撃アセンブリ１４０の実施例の設置関係に類似するので、素子同士間の設置関係をここで詳しく述べない。同様に、前記第１の衝撃ハンマー１４２及び第２の衝撃ハンマー１４４の数量及び傾斜角度については、異なる試験要求に応じて調整してもよい。
【００３６】
本発明では精確な衝撃試験データを得るという要求を満足させるために、前記第１の衝撃ハンマー１４２及び第２の衝撃ハンマー１４４としては周知のエアハンマーを使用することはできず、精確に衝撃の強度及び頻度を制御するために、電気信号によって動作する電磁ハンマーを使用する必要がある。
【００３７】
また、第１のプラットホーム１１０において複数の固定孔１１２によって被試験物を固定する以外に、複数の固定孔１１２の代わりに複数の真空吸着孔を用いて被試験物を吸着させて、同様の固定効果を達成させるようにしてもよい。第１のプラットホーム１１０には、第１のプラットホーム１１０の下方に配置され、第１のプラットホーム１１０を第２のプラットホーム１２０に対して水平に回転駆動させ、試験人員が衝撃試験時に観察しやすくするために用いられる、回転機構１１６を更に備えてもよい。
【００３８】
一方、図９に示すように、複数の第１の懸吊装置１３０は、頂部１３２と、頂部１３２に対する底部１３４と、頂部１３２と底部１３４の間の複数のコイル１３６とを備える。ここで、図１を共に参照し、頂部１３２と底部１３４はそれぞれ第１のプラットホーム１１０と第２のプラットホーム１２０に固定されてよく、複数のコイル１３６は第１のプラットホーム１１０と第１のプラットホーム１１０上に設けられた被試験物を支持することに用いられてよい。
【００３９】
従って、図９に示すように、前記第１の懸吊装置１３０の複数のコイル１３６は鋼管又は鋼索で構成され、極めて大きな耐振動性を有するので、頂部１３２、底部１３４及び複数のコイル１３６からなる第１の懸吊装置１３０は特別な球状構造を形成しており、第１の懸吊装置１３０が被試験物を設けた第１のプラットホーム１１０を載置することに用いられる時に、衝撃試験を行っている過程で、第１のプラットホーム１１０が微量の変位変化のみを発生して、得られる衝撃試験データの精確性を増し、また、この衝撃試験データを用いて被試験物の衝撃応答スペクトルが作成される。
【００４０】
図１０に示すように、複数の第２の懸吊装置１５０は、衝撃試験を行っている過程で、少なくとも１つの衝撃アセンブリ１４０が衝撃を与える時に生じた反作用力を効果的に吸収することによって、少なくとも１つの衝撃アセンブリ１４０が動作する時に干渉される場合を低減して、得られる衝撃試験データの精確性を増す。そのために、第１のプラットホーム１１０、第２のプラットホーム１２０、複数の第１の懸吊装置１３０及び少なくとも１つの衝撃アセンブリ１４０を支持することに用いられる必要があるので、好ましくは、シリカゲル、ゴム、プラスチック、フォーム又は他の振動吸収効果を有する材質で構成されるシリカゲルベースであって、発生した衝撃が外部環境に伝達されることを回避する。
【００４１】
図１１に示すように、本発明の衝撃試験装置１００は、外部環境との隔離効果を強化すると共に、携帯時の機動性を増加するために、第１のプラットホーム１１０、第２のプラットホーム１２０、複数の第１の懸吊装置１３０、少なくとも１つの衝撃アセンブリ１４０及び複数の第２の懸吊装置１５０を収容するための筐体１６０を更に備えてよい。
【００４２】
図１、図２に示す実施例において、第１のプラットホーム１１０は円形プラットホームであり、第２のプラットホーム１２０は略矩形のプラットホームである。しかし、第１のプラットホーム１１０と第２のプラットホーム１２０の有する形状はこれに限定されるものではなく、当業者は容易に第１のプラットホーム１１０と第２のプラットホーム１２０の形状を変更してもよい。
【００４３】
以上述べたように、本発明の衝撃試験装置１００の備える少なくとも１つの衝撃アセンブリ１４０は、少なくとも第１の衝撃ハンマー１４２及び／又は第２の衝撃ハンマー１４４を備え、少なくとも第１の衝撃ハンマー１４２が第２のプラットホーム１２０に対して特定の角度で傾斜してよく、且つ第２の衝撃ハンマー１４４が第２のプラットホーム１２０に垂直であるので、少なくとも１つの第１の衝撃ハンマー１４２と第２の衝撃ハンマー１４４を組み合わせることによって、被試験物に多軸方向の衝撃力を提供して、各種の衝撃試験要求に応じることができる。
【００４４】
一方、複数の第１の懸吊装置１３０を設けることもでき、これら複数の第１の懸吊装置１３０は被試験物が設けられた第１のプラットホーム１１０を支持することに用いられ、第１のプラットホーム１１０が衝撃試験を行っている過程で、微量の変位変化のみを発生するように制御して、得られた衝撃試験データの精確性を増し、またこの衝撃試験データを用いて被試験物の衝撃応答スペクトルが作成される。
【００４５】
なお、複数の第２の懸吊装置１５０を設けることもでき、これら複数の第２の懸吊装置１５０は、衝撃試験を行っている過程で、少なくとも１つの衝撃アセンブリ１４０が衝撃を与える時に生じた反作用力を効果的に吸収することによって、少なくとも１つの衝撃アセンブリ１４０がこの反作用力に干渉される場合を低減すると共に、発生した衝撃が外部環境に伝達されることを回避することができる。
【００４６】
このように、本発明の衝撃試験装置１００の有する複数の超小型高効率衝撃アセンブリ１４０によって、時間差がなく精確な動作力を同時に生じて、第１のプラットホーム１１０にある被試験物に正確に衝撃を与え被試験物の衝撃応答スペクトルを測定する。さらに被試験物が衝撃を受けた時の損壊の根源がどこにあるかを了解して、その衝撃応答スペクトルの結果に応じて、被試験物の信頼性を改善してその使用寿命を延長することができる。
【００４７】
上述した実施例は、本発明の実施態様を例示し、本発明の技術的特徴を説明するだけのもので、本発明の技術的範囲を限定するためのものではない。当業者が容易に完成できる変更又は均等的な配置はすべて本発明の技術的範囲に含まれる。本発明の技術的範囲は特許請求の範囲に基づくべきである。
【符号の説明】
【００４８】
１００    衝撃試験装置
１１０    第１のプラットホーム
１１２    固定孔
１１４    被衝撃ブロック
１１４ａ  表面
１１６    回転機構
１２０    第２のプラットホーム
１２０ａ  上側
１２０ｂ  下側
１２２    周縁
１３０    第１の懸吊装置
１３２    頂部
１３４    底部
１３６    コイル
１４０    衝撃アセンブリ
１４２    第１の衝撃ハンマー
１４４    第２の衝撃ハンマー
１４６    角度アダプター
１５０    第２の懸吊装置
１６０    筐体
【図１】
2015042968.tif 000003
【図２】
2015042968.tif 000004
【図３】
2015042968.tif 000005
【図４】
2015042968.tif 000006
【図５】
2015042968.tif 000007
【図６】
2015042968.tif 000008
【図７】
2015042968.tif 000009
【図８】
2015042968.tif 000010
【図９】
2015042968.tif 000011
【図１０】
2015042968.tif 000012
【図１１】
2015042968.tif 000013